(57)【要約】  歩行性害虫捕獲装置（１）は、粘着シート（３）の一端部（３ａ）が歩行用シート（４）の一端部（４ａ）に接続された接続部（５）を有し、粘着シート（３）の他端部（３ｂ）が歩行用シート（４）の他端部（４ｂ）から離間して配置されている。粘着シート（３）と歩行用シート（４）の間に歩行性害虫Ｂを収容する空間部（１０）が形成され、粘着シート（３）の他端部（３ｂ）と歩行用シート（４）の他端部（４ｂ）との間に、侵入口（１１）が形成されている。粘着シート（３）と歩行用シート（４）との離間距離（Ｈ）が、侵入口（１１）から接続部（５）に向けて漸減するテーパー形状を有する。
2020009032.tif 000002
【特許請求の範囲】
【請求項１】
上部シートと、
前記上部シート上に設けられ、歩行性害虫の背面と接触する粘着シートと、
前記粘着シートに対向して設けられ、前記歩行性害虫が歩行する歩行用シートと
を備え、
前記粘着シートの一端部が前記歩行用シートの一端部に接続された接続部を有するとともに、前記粘着シートの他端部が前記歩行用シートの他端部から離間して配置され、
前記粘着シートと前記歩行用シートの間に前記歩行性害虫を収容する空間部が形成されるとともに、前記粘着シートの他端部と前記歩行用シートの他端部との間に、前記歩行性害虫が前記空間部に侵入可能な侵入口が形成され、
前記粘着シートと前記歩行用シートとの離間距離が前記侵入口から前記接続部に向けて漸減するテーパー形状を有することを特徴とする、歩行性害虫捕獲装置。
【請求項２】
前記歩行用シートの長さをＬ、前記粘着シートの他端部と前記歩行用シートの他端部との離間距離をＨ１とした場合に、ｔａｎθ＝Ｈ１／Ｌの値が、０．０１≦ｔａｎθ≦０．２５であることを特徴とする、請求項１に記載の歩行性害虫捕獲装置。
【請求項３】
上部シートと、
前記上部シート上に設けられ、歩行性害虫の背面と接触する粘着シートと、
前記粘着シートに対向して設けられ、前記歩行性害虫が歩行する歩行用シートと
を備え、
前記粘着シートの一端部が前記歩行用シートの一端部から離間して配置されるとともに、前記粘着シートの他端部が前記歩行用シートの他端部から離間して配置され、
前記粘着シートと前記歩行用シートの間に前記歩行性害虫を収容する空間部が形成されるとともに、前記粘着シートの他端部と前記歩行用シートの他端部との間に、前記歩行性害虫が前記空間部に侵入可能な侵入口が形成され、
前記粘着シートと前記歩行用シートとの離間距離が前記侵入口から前記粘着シートの一端部及び前記歩行用シートの一端部に向けて漸減するテーパー形状を有することを特徴とする、歩行性害虫捕獲装置。
【請求項４】
前記歩行用シートの長さをＬ、前記粘着シートの他端部と前記歩行用シートの他端部との離間距離をＨ１、前記粘着シートの一端部と前記歩行用シートの一端部との離間距離をＨ２とした場合に、ｔａｎθ＝（Ｈ１−Ｈ２）／Ｌの値が、０．０１≦ｔａｎθ≦０．２５であることを特徴とする、請求項３に記載の歩行性害虫捕獲装置。
【請求項５】
前記粘着シートの他端部と前記歩行用シートの他端部との離間距離が、１〜５ｍｍであることを特徴とする、請求項１〜請求項４のいずれか１項に記載の歩行性害虫捕獲装置。
【請求項６】
前記上部シートが光遮蔽性を有することを特徴とする、請求項１〜請求項５のいずれか１項に記載の歩行性害虫捕獲装置。
【請求項７】
前記上部シートが、光透過性を有することを特徴とする、請求項１〜請求項５のいずれか１項に記載の歩行性害虫捕獲装置。
【請求項８】
前記上部シートの外表面上に光遮蔽部材が設けられていることを特徴とする、請求項７に記載の歩行性害虫捕獲装置。
【請求項９】
前記上部シートの外表面上に、該上部シートの、前記侵入口側から前記接続部側に向けて遮光性が高くなる前記光遮蔽部材が設けられていることを特徴とする、請求項８に記載の歩行性害虫捕獲装置。
【請求項１０】
前記光遮蔽部材が、前記上部シートの外表面に対して着脱可能であることを特徴とする、請求項８または請求項９に記載の歩行性害虫捕獲装置。
【請求項１１】
前記歩行用シートの、前記粘着シート側と反対側の表面上に、他の粘着シートが設けられていることを特徴とする、請求項１〜請求項１０のいずれか１項に記載の歩行性害虫捕獲装置。
【請求項１２】
前記粘着シートおよび前記歩行用シートの少なくとも一方が誘引剤を含有することを特徴とする、請求項１〜請求項１１のいずれか１項に記載の歩行性害虫捕獲装置。
【請求項１３】
前記誘引剤が、オクテナール、ヘキセナール、ヘキサノン、乳酸、ジメチルジスルフィド、及びジメチルトリスルフィドからなる群より選択される少なくとも一種であることを特徴とする、請求項１２に記載の歩行性害虫捕獲装置。
【請求項１４】
前記歩行性害虫が、トコジラミであることを特徴とする、請求項１〜請求項１３のいずれか１項に記載の歩行性害虫捕獲装置。
【発明の詳細な説明】
【技術分野】
【０００１】
本発明は、粘着面によりトコジラミなどの歩行性害虫を捕獲する歩行性害虫捕獲装置に関する。
【背景技術】
【０００２】
トコジラミは、以前はナンキンムシとも呼ばれていた吸血昆虫であるが、近年、薬剤耐性のあるトコジラミが増加しており、宿泊施設や家庭にもその被害が及んでいる。【０００３】
一般に、トコジラミの駆除は、専門の駆除業者が強力な薬剤を用いて駆除するか、もしくは発生した家具類を熱湯で処理して駆除するなどの方法が採られているが、多大なる労力が必要となる。【０００４】
そこで、トコジラミを捕獲する装置が提案されている。例えば、波状に加工された波状板状体と、粘着面を有するとともに粘着面を波状板状体側に向けて波状板状体の波状凸部に貼着する粘着体とを有し、粘着体の粘着面と波状板状体の波状凸部間にトコジラミ侵入部を設けた捕獲装置が提案されている（例えば、特許文献１参照）。また、筐体の内部空間に設けられた誘引剤と、筐体上に設けられ、トコジラミが歩行可能な通路を有する退避部と、退避部と隣接して設けられ、筐体の少なくとも１つの壁面に形成された開口部とを備えた捕獲装置が提案されている（例えば、特許文献２参照）。【０００５】
また、歩行性害虫として、アリ、ゴキブリ、ダニ、ムカデ、ヤスデなど、人体を噛んだり、刺したりすることにより害を及ぼす害虫もおり、さらに、直接、人体への影響は少ないものの、不快性をもたらす不快害虫である歩行性害虫についても、防除方法や捕獲装置が種々提案されている。
【先行技術文献】
【特許文献】
【０００６】
【特許文献１】特開２０１４−６４４９９号公報
【特許文献２】特表２０１３−５４４５１４号公報
【発明の概要】
【発明が解決しようとする課題】
【０００７】
ここで、上記特許文献１に記載のトコジラミ捕獲装置は、トコジラミの足を粘着面に粘着させて捕獲するものであるが、トコジラミの足と粘着面との接触面積が小さいため、粘着力が不十分である場合は、トコジラミを捕獲することが困難であるという問題があった。また、トコジラミは、粘着のある面への侵入を回避する習性があるため、トコジラミを捕獲することが困難であるという問題があった。【０００８】
また、上記特許文献２に記載のトコジラミ捕獲装置においては、誘引剤を使用するものであるが、落とし罠トラップにトコジラミが落ちる確率が低いため、トコジラミの捕獲が困難であった。【０００９】
そこで、本発明は、上述の問題に鑑みてなされたものであり、トコジラミを含む歩行性の害虫を効率よく捕獲することができる歩行性害虫捕獲装置を提供することを目的とする。
【課題を解決するための手段】
【００１０】
本発明者らは、上記課題を解決するために鋭意検討した結果、本発明を完成させるに至った。すなわち、本発明は、以下の好適な態様を提供するものである。【００１１】
［１］上部シートと、前記上部シート上に設けられ、歩行性害虫の背面と接触する粘着シートと、前記粘着シートに対向して設けられ、前記歩行性害虫が歩行する歩行用シートとを備え、前記粘着シートの一端部が前記歩行用シートの一端部に接続された接続部を有するとともに、前記粘着シートの他端部が前記歩行用シートの他端部から離間して配置され、前記粘着シートと前記歩行用シートの間に前記歩行性害虫を収容する空間部が形成されるとともに、前記粘着シートの他端部と前記歩行用シートの他端部との間に、前記歩行性害虫が前記空間部に侵入可能な侵入口が形成され、前記粘着シートと前記歩行用シートとの離間距離が前記侵入口から前記接続部に向けて漸減するテーパー形状を有することを特徴とする、歩行性害虫捕獲装置。【００１２】
［２］前記歩行用シートの長さをＬ、前記粘着シートの他端部と前記歩行用シートの他端部との離間距離をＨ１とした場合に、ｔａｎθ＝Ｈ１／Ｌの値が、０．０１≦ｔａｎθ≦０．２５であることを特徴とする、前記［１］に記載の歩行性害虫捕獲装置。【００１３】
［３］上部シートと、前記上部シート上に設けられ、歩行性害虫の背面と接触する粘着シートと、前記粘着シートに対向して設けられ、前記歩行性害虫が歩行する歩行用シートとを備え、前記粘着シートの一端部が前記歩行用シートの一端部から離間して配置されるとともに、前記粘着シートの他端部が前記歩行用シートの他端部から離間して配置され、前記粘着シートと前記歩行用シートの間に前記歩行性害虫を収容する空間部が形成されるとともに、前記粘着シートの他端部と前記歩行用シートの他端部との間に、前記歩行性害虫が前記空間部に侵入可能な侵入口が形成され、前記粘着シートと前記歩行用シートとの離間距離が前記侵入口から前記粘着シートの一端部及び前記歩行用シートの一端部に向けて漸減するテーパー形状を有することを特徴とする、歩行性害虫捕獲装置。【００１４】
［４］前記歩行用シートの長さをＬ、前記粘着シートの他端部と前記歩行用シートの他端部との離間距離をＨ１、前記粘着シートの一端部と前記歩行用シートの一端部との離間距離をＨ２とした場合に、ｔａｎθ＝（Ｈ１−Ｈ２）／Ｌの値が、０．０１≦ｔａｎθ≦０．２５であることを特徴とする、前記［３］に記載の歩行性害虫捕獲装置。【００１５】
［５］前記粘着シートの他端部と前記歩行用シートの他端部との離間距離が、１〜５ｍｍであることを特徴とする、前記［１］〜［４］のいずれかに記載の歩行性害虫捕獲装置。【００１６】
［６］前記上部シートが光遮蔽性を有することを特徴とする、前記［１］〜［５］のいずれかに記載の歩行性害虫捕獲装置。【００１７】
［７］前記上部シートが、光透過性を有することを特徴とする、前記［１］〜［５］のいずれかに記載の歩行性害虫捕獲装置。【００１８】
［８］前記上部シートの外表面上に光遮蔽部材が設けられていることを特徴とする、前記［７］に記載の歩行性害虫捕獲装置。【００１９】
［９］前記上部シートの外表面上に、該上部シートの、前記侵入口側から前記接続部側に向けて遮光性が高くなる前記光遮蔽部材が設けられていることを特徴とする、前記［８］に記載の歩行性害虫捕獲装置。【００２０】
［１０］前記光遮蔽部材が、前記上部シートの外表面に対して着脱可能であることを特徴とする、前記［８］または［９］に記載の歩行性害虫捕獲装置。【００２１】
［１１］前記歩行用シートの、前記粘着シート側と反対側の表面上に、他の粘着シートが設けられていることを特徴とする、前記［１］〜［１０］のいずれかに記載の歩行性害虫捕獲装置。【００２２】
［１２］前記粘着シートおよび前記歩行用シートの少なくとも一方が誘引剤を含有することを特徴とする、前記［１］〜［１１］のいずれかに記載の歩行性害虫捕獲装置。【００２３】
［１３］前記誘引剤が、オクテナール、ヘキセナール、ヘキサノン、乳酸、ジメチルジスルフィド、及びジメチルトリスルフィドからなる群より選択される少なくとも一種であることを特徴とする、前記［１２］に記載の歩行性害虫捕獲装置。【００２４】
［１４］前記歩行性害虫が、トコジラミであることを特徴とする、前記［１］〜［１３］のいずれかに記載の歩行性害虫捕獲装置。
【発明の効果】
【００２５】
本発明によれば、歩行性害虫の背面と接触する粘着シートにおいて、歩行性害虫と粘着シートの粘着面との接触面積を大きくすることができ、歩行性害虫を確実に捕獲することが可能になる。
【図面の簡単な説明】
【００２６】
【図１】本発明の実施形態に係る歩行性害虫捕獲装置を示す斜視図である。
【図２】本発明の実施形態に係る歩行性害虫捕獲装置を示す断面図であり、図１のＡ−Ａ断面図である。
【図３】本発明の変形例に係る歩行性害虫捕獲装置を示す断面図である。
【図４】本発明の変形例に係る歩行性害虫捕獲装置を示す断面図である。
【図５】本発明の変形例に係る歩行性害虫捕獲装置を示す断面図である。
【発明を実施するための形態】
【００２７】
以下、本発明の実施形態を図面に基づいて詳細に説明する。尚、本発明は、以下の実施形態に限定されるものではない。
【００２８】
＜歩行性害虫捕獲装置＞
本発明において歩行性害虫とは、人体を噛んだり、刺したりすることにより、害を及ぼす害虫や、直接の人体への影響は少ないものの、不快感をもたらす不快害虫などの害虫の中で、歩行により移動を行う種を示す。歩行性害虫の例としては、トコジラミ、アリ、ゴキブリ、ダニ、ムカデ、ヤスデなどが挙げられる。
【００２９】
図１は、本発明の実施形態に係る歩行性害虫捕獲装置を示す斜視図であり、図２は、本発明の実施形態に係る歩行性害虫捕獲装置を示す断面図であり、図１のＡ−Ａ断面図である。
【００３０】
本実施形態の歩行性害虫捕獲装置１は、上部シート２と、上部シート２上に設けられ、歩行性害虫Ｂの背面Ｂ１と接触する粘着シート３と、粘着シート３に対向して設けられ、歩行性害虫Ｂが歩行する歩行用シート４とを備えている。
【００３１】
また、図２に示すように、粘着シート３の一端部３ａが歩行用シート４の一端部４ａに接続された接続部５を有するとともに、粘着シート３の他端部３ｂが歩行用シート４の他端部４ｂから離間して配置されている。
【００３２】
また、粘着シート３と歩行用シート４の間に歩行性害虫Ｂを収容する空間部１０が形成されるとともに、粘着シート３の他端部３ｂと歩行用シート４の他端部４ｂとの間に、歩行性害虫Ｂが空間部１０に侵入可能な侵入口１１が形成されている。
【００３３】
この歩行性害虫捕獲装置１の大きさは、使用用途に応じて、適宜、設定することができ、特に限定されないが、例えば、押し入れの布団の間に差し込んで使用する場合、歩行性害虫捕獲装置１の長さ（即ち、歩行用シート４の長さ）Ｌを２〜１００ｃｍとしてもよい。なお、取扱い性や廃棄の際の手間、歩行性害虫の粘着捕獲面の確保の観点も考慮して、３〜３０ｃｍが好ましく、５〜１０ｃｍがさらに好ましい。
【００３４】
また、例えば、床から上ってくる歩行性害虫に備えてベッドの周囲に取り付ける場合、図１に示すように、上記の大きさのものを連結（図１においては２個）して、さらに大きいサイズとすることもできる。
【００３５】
また、歩行性害虫捕獲装置は、複数個、設置して使用することもできる。
【００３６】
＜上部シート＞
上部シート２は、粘着シート３を均等に保持し、シートとして取り扱いが可能な強度を付与するためのものである。この上部シート２を構成する材料としては、例えば、セルロース系の紙や、ポリエステル樹脂、ポリアミド樹脂、ポリ塩化ビニル樹脂、ポリオレフィン樹脂、アクリル樹脂などの熱可塑性樹脂からなるフィルムを用いることができる。
【００３７】
この上部シート２としては、柔軟で薄く、粘着剤との接着性がよく、粘着剤に使用する溶剤に対して耐久性があり、寸法安定性がよいものが使用される。この上部シートは、光遮蔽性を有したものでも、光透過性を有したものであってもよく、光遮蔽性を有するシートとしては、黒色または他の中濃色に着色した紙、フィルムなどを用いることができる。
【００３８】
光透過性を有するシートとしては、ポリエステル樹脂、ポリアミド樹脂、ポリ塩化ビニル樹脂、ポリオレフィン樹脂、アクリル樹脂などの熱可塑性樹脂からなる透明フィルムを用いることができる。
【００３９】
上部シート２が光遮蔽性を有していれば、歩行性害虫がトコジラミなどの暗所を好む習性を有する場合、その習性を利用し、歩行性害虫の捕獲効果を増加させることができる。一方、上部シートが光透過性を有していれば、捕獲された歩行性害虫を装置の外部から容易に確認することができる。
【００４０】
＜粘着シート＞
粘着シート３は、粘着面により、歩行性害虫を捕捉するためのものであり、歩行性害虫を捕捉するのに適切な粘着性を有していれば特に制限されない。例えば、アクリル系、ゴム系、ＳＩＳブロック系、シリコン系の粘着剤により形成することができる。なお、これらの粘着剤は単独で用いてもよく、２種以上を併用してもよい。
【００４１】
なお、歩行性害虫Ｂを確実に捕獲するとの観点から、粘着シート３の粘着力は高い方がよく、粘着後、半永久的に被着体に接着する永久接着タイプが好ましい。一定期間、貼り付け後に剥がすことを目的とする再剥離タイプの粘着シートは、比較的、粘着性が劣るため、好ましくない。
【００４２】
そして、図２に示すように、この粘着シート３は、歩行性害虫Ｂの背面Ｂ１と接触するように構成されているため、歩行性害虫Ｂと粘着シート３の粘着面との接触面積を大きくすることができる。
【００４３】
＜歩行用シート＞
歩行用シート４は、歩行性害虫Ｂが歩行できるシート状物であれば特に制限されない。歩行性害虫が歩きやすいように、平滑な面よりは適度な凹凸があるものがよく、紙でもよい。また、歩行用シート４として、図１に示すように、テーパー型仕切り部材１２と一体となった、樹脂成型シートを用いてもよい。
【００４４】
＜誘引剤＞
また、粘着シート３として、誘引剤を含む粘着シート３を使用してもよい。この誘引剤は、歩行性害虫を誘引して、空間部１０へと容易に導くためのものである。この誘引剤としては、一般に歩行性害虫を誘引する効果を有するものであれば特に制限はなく、例えば、歩行性害虫がトコジラミの場合は、オクテナール、ヘキセナール、ヘキサノン、乳酸、ジメチルジスルフィド、ジメチルトリスルフィドなどから選ぶことができる。
【００４５】
また、歩行用シート４やテーパー型仕切り部材１２に、これらの誘引剤を含めてもよい。
【００４６】
また、歩行用シート４やテーパー型仕切り部材１２が樹脂製である場合、誘引剤を樹脂中に練り込むこともできる。この場合、誘引剤は樹脂成型体の内部から徐放されるために、表面塗工と比べて誘引効果が長く持続するという長所がある。
【００４７】
＜取り付け用粘着シート＞
また、図２に示すように、本実施形態の歩行性害虫捕獲装置１は、歩行用シート４の、粘着シート３側と反対側の表面上に、取り付け用粘着シート６が設けられている。従って、例えば、歩行性害虫捕獲装置１を縦置きにして、壁に取り付けて使用する場合に、壁の被粘着面に対して、歩行性害虫捕獲装置１を容易に取り付けることができる。
【００４８】
また、取り付け用粘着シート６は、再剥離が容易なアクリル系の粘着剤等により形成することができる。なお、これらの粘着剤は単独で用いてもよく、２種以上を併用してもよい。
【００４９】
そして、本実施形態の歩行性害虫捕獲装置１は、図２に示すように、粘着シート３と歩行用シート４との離間距離Ｈが、侵入口１１から接続部５に向けて漸減するテーパー形状を有している。
【００５０】
このような構成により、狭い空間を好むトコジラミなどの歩行性害虫Ｂの習性により、侵入口１１から空間部１０内へ侵入した歩行性害虫Ｂが、空間部１０の奥側（即ち、接続部５側）の狭い空間へ移動し易くなるため、歩行性害虫Ｂの背面Ｂ１と、テーパー形状を有する歩行性害虫捕獲装置１の粘着シート３が接触しやすくなる。その結果、歩行性害虫Ｂの捕獲効率が向上し、歩行性害虫Ｂを確実に捕獲することが可能になる。
【００５１】
なお、歩行性害虫Ｂがトコジラミの場合、その体長が５〜８ｍｍであり、扁平形状であることを考慮して、トコジラミを侵入口１１から空間部へと確実に侵入させるとの観点から、侵入口１１の高さ（即ち、粘着シート３の他端部３ｂと歩行用シート４の他端部４ｂとの離間距離Ｈ１）は、１〜５ｍｍであることが好ましい。
【００５２】
また、歩行性害虫Ｂが捕獲装置１に入り込み、歩行性害虫の背面Ｂ１が粘着シート３に接触するまで、捕獲装置１の内部に進行する必要があることとの観点から、歩行用シート４の長さＬと、離間距離Ｈ１との間に、下記式（１）の関係が成立することが好ましい。
【００５３】
［数１］
０．０１≦ｔａｎθ＝Ｈ１／Ｌ≦０．２５      （１）
【００５４】
なお、歩行用シート４の長さＬは、上述のごとく、２〜１００ｃｍであることが好ましい。
【００５５】
（歩行性害虫捕獲装置の製造方法）
次に、本実施形態の歩行性害虫捕獲装置の製造方法の一例を説明する。
【００５６】
まず、歩行用シート４として、黒色の画用紙を用い、その背面に取り付け用粘着シート６を貼り付けた後、歩行用シート４上に、テーパー型仕切り部材１２を取り付け、さらにその上に、片面に粘着シート３を有する上部シート２を、粘着シート３側が歩行用シート４に対向するように取り付けることにより、歩行性害虫捕獲装置１を製造することができる。
【００５７】
なお、上記実施形態は以下のように変更しても良い。
【００５８】
歩行性害虫のうち、特にトコジラミの場合、トコジラミは暗所を好む習性があるため、上部シート２が光透過性を有するシートである場合、図３に示すように、上部シート２の、接続部５側の外表面２ａ上に光遮蔽部材７を設ける構成としてもよい。このような構成により、侵入口１１から空間部１０内へ侵入したトコジラミが、より暗がりとなる空間部１０の奥側（即ち、接続部５側）へ更に移動し易くなるため、トコジラミの背面Ｂ１と、テーパー形状を有する歩行性害虫捕獲装置１の粘着シート３が接触しやすくなる。その結果、トコジラミの捕獲効率が更に向上することになる。
【００５９】
また、上部シート２の外表面２ａ上に、上部シート２の、侵入口１１側から接続部５側に向けて遮蔽性が高くなる光遮蔽部材７を設ける構成としてもよい。この際、１つの光遮蔽部材７を設ける構成としてもよく、複数の光遮蔽部材７を設ける構成としてもよい。
【００６０】
例えば、上部シート２の、侵入口１１側の外表面２ａ上に第１の光遮蔽部材７を設けるとともに、上部シート２の、接続部５側の外表面２ａ上に、第１の光遮蔽部材７よりも遮蔽性が高い第２の光遮蔽部材７を設ける構成とすることができる。
【００６１】
この光遮蔽部材７は、光を遮蔽するものであれば特に限定されず、光遮蔽性の高い光遮蔽部材としては、黒色または他の中濃色に着色した紙、フィルム、シートなどを用いることができる。また、光遮蔽性の低い光遮蔽部材としては、白色または淡色の紙、フィルム、シートなどを用いることができる。
【００６２】
さらに、上部シート２が光透過性を有するシートである場合、捕獲された歩行性害虫を装置の外部から容易に確認するために、光遮蔽部材７は、上部シート２の外表面２ａに対して着脱可能であることが好ましい。
【００６３】
また、歩行性害虫捕獲装置は、粘着シート３と歩行用シート４との離間距離Ｈが侵入口１１から接続部５に向けて漸減するテーパー形状を有していれば、上部シート２や粘着シート３の断面形状は限定されない。
【００６４】
例えば、図４に示す歩行性害虫捕獲装置２０のごとく、上部シート２と粘着シート３の断面が曲面形状であってもよい。
【００６５】
この場合も、上記実施形態における歩行性害虫捕獲装置１と同様の効果を得ることができる。
【００６６】
また、図５に示す歩行性害虫捕獲装置３０のごとく、粘着シート３の一端部３ａと歩行用シート４の一端部４ａとを離間して配置する構成としてもよい。
【００６７】
この場合、図５に示すように、歩行性害虫捕獲装置３０は、粘着シート３と歩行用シート４との離間距離Ｈが、侵入口１１から粘着シート３の一端部３ａ及び歩行用シート４の一端部４ａに向けて漸減するテーパー形状を有する。
【００６８】
なお、粘着シート３の一端部３ａと歩行用シート４の一端部４ａの離間距離Ｈ２は、侵入した歩行性害虫Ｂが粘着シート３の一端部３ａと歩行用シート４の一端部４ａとの間から逃走することを防止するとの観点から、１ｍｍ以下であることが好ましい。
【００６９】
また、上記実施形態における歩行性害虫捕獲装置１の場合と同様に、歩行性害虫Ｂが捕獲装置３０に入り込み、歩行性害虫の背面Ｂ１が粘着シート３に接触するまで、捕獲装置１の内部に進行する必要があるとの観点から、歩行用シート４の長さＬ、離間距離Ｈ１、及び、粘着シート３の一端部３ａと歩行用シート４の一端部４ａとの離間距離Ｈ２との間に、下記式（２）の関係が成立することが好ましい。
【００７０】
［数２］
０．０１≦ｔａｎθ＝（Ｈ１−Ｈ２）／Ｌ≦０．２５      （２）
【００７１】
この場合も、上記実施形態における歩行性害虫捕獲装置１と同様の効果を得ることができる。
【００７２】
また、図３に示す歩行性害虫捕獲装置１と同様に、図５に示す歩行性害虫捕獲装置３０においても、上部シート２の、粘着シート３の一端部３ａ側（または歩行用シート４の一端部４ａ側）の外表面２ａ上に光遮蔽部材７を設ける構成としてもよい。
【００７３】
また、同様に、上部シート２の外表面２ａ上に、上部シート２の、侵入口１１側から接続部５側に向けて遮蔽性が高くなる光遮蔽部材７を設ける構成としてもよく、上部シート２の外表面２ａに対して着脱可能な光遮蔽部材７を設ける構成としてもよい。
【００７４】
更に、図４に示す歩行性害虫捕獲装置２０と同様に、図５に示す歩行性害虫捕獲装置３０においても、上部シート２と粘着シート３の断面が曲面形状であってもよい。
【実施例】
【００７５】
以下に、本発明を実施例に基づいて説明する。なお、本発明は、これらの実施例に限定されるものではなく、これらの実施例を本発明の趣旨に基づいて変形、変更することが可能であり、それらを本発明の範囲から除外するものではない。【００７６】
（実施例１）
（歩行性害虫捕獲装置の作製）
市販の黒ボール紙（厚み０．７８ｍｍ）を５ｃｍ×５ｃｍにカットして、歩行用シートとした。この歩行用シートに、両面粘着シート（市販品）を５ｃｍ×５ｃｍにカットしたものを取り付け、取り付け用粘着シートとした。【００７７】
また、透明フィルム（東レ（株）製、商品名：ルミラーＴ６０、厚み７５μｍ）を５ｃｍ×５ｃｍにカットして上部シートとした。この上部シートに、両面粘着シート（テクノフローワン（株）製、商品名：ＴＣ５５１０）を５ｃｍ×５ｃｍにカットしたものを取り付けて、粘着シートとした。【００７８】
また、長さが５０ｍｍの四角錐台形状を有し、一方の面が５ｍｍ×５ｍｍであり、他方の面が５ｍｍ×０．１ｍｍである楔状の成型体を、黒色フィラメントを用いて３Ｄプリンターで作製し、テーパー型仕切り部材とした。【００７９】
次に、歩行用シートの取り付け用粘着シートと反対側に、端から等間隔にテーパー型仕切り部材を３個、粘着テープで取り付け、さらにその上に、上部シートの粘着シート側をテーパー型仕切り部材１２に取り付けた。【００８０】
さらに、上部シートの、接続部側の外表面上に、光遮蔽部材である市販のボール紙（厚み０．４ｍｍ、５ｃｍ×５ｃｍにカットしたもの）を取り付けることにより、図３に示す歩行性害虫捕獲装置を作製した。【００８１】
なお、作製した歩行性害虫捕獲装置において、歩行シートの長さＬは５０ｍｍ、離間距離Ｈ１は５ｍｍであり、ｔａｎθは０．１であった。【００８２】
（捕獲評価）
次に、５２００ｍＬの長方形のプラスチック容器内の床面に、ろ紙を敷き、作製した歩行性害虫捕獲装置（２個）を底面の取り付け用粘着シートを介して、プラスチック容器に取り付けて設置した。【００８３】
次に、プラスチック容器内に、トコジラミ１０匹を投入し、室温２１〜２５℃、相対湿度１５〜３２％の条件下で、室内照明を１２時間、点灯させた状態と、１２時間、消灯させた状態を繰り返して、４８時間経過後に、歩行性害虫捕獲装置の粘着部分に捕獲されたトコジラミの数を確認した。【００８４】
そして、以下の式（３）を用いて、トコジラミの捕獲率を算出した。なお、上記処理を３回行い、３回分の捕獲率の平均値を表１に示す。【００８５】
［数３］
捕獲率（％）＝（粘着捕獲数／投入数）×１００      （３）【００８６】
（実施例２）
上部シートに取り付ける両面粘着シートの粘着部に、誘引剤である乳酸を０．５％配合したこと以外は、上述の実施例１と同様にして歩行性害虫捕獲装置を作製した。その後、上述の実施例１と同様にして、捕獲評価を行った。以上の結果を表１に示す。【００８７】
（実施例３）
上部シートの、接続部側の外表面上に、図３に示すように、光遮蔽性の高い市販のボール紙（厚み０．４ｍｍ、５ｃｍ×２．５ｃｍにカットしたもの）を取り付けるとともに、上部シートの、侵入口側の外表面上（即ち、上述のボール紙が取り付けられていない部分）に、光遮蔽性の低いコピー用紙（白色、厚み０．０９ｍｍ、５ｃｍ×２．５ｃｍにカットしたもの）を取り付けることにより、上部シートの該表面上に光遮蔽部材を設けたこと以外は、上述の実施例１と同様にして歩行性害虫捕獲装置を作製した。その後、上述の実施例１と同様にして、捕獲評価を行った。以上の結果を表１に示す。【００８８】
（実施例４）
上部シートの外表面上に、光遮蔽部材であるボール紙を設置しなかったこと以外は、上述の実施例１と同様にして歩行性害虫捕獲装置を作製した。その後、上述の実施例１と同様にして、捕獲評価を行った。以上の結果を表１に示す。【００８９】
（実施例５）
長さが１００ｍｍの四角錐台形状を有し、一方の面が５ｍｍ×５ｍｍであり、他方の面が５ｍｍ×４ｍｍである成型体を、黒色フィラメントを用いて３Ｄプリンターで作製し、テーパー型仕切り部材としたこと以外は、上述の実施例１と同様にして歩行性害虫捕獲装置を作製した。その後、上述の実施例１と同様にして、捕獲評価を行った。以上の結果を表１に示す。【００９０】
なお、作製した歩行性害虫捕獲装置において、歩行シートの長さＬは１００ｍｍ、離間距離Ｈ１は３ｍｍ、離間距離Ｈ２は１ｍｍ、ｔａｎθは０．０２であった。その後、上述の実施例１と同様にして、捕獲評価を行った。以上の結果を表１に示す。【００９１】
（実施例６）
長さが１００ｍｍの四角錐台形状を有し、一方の面が５ｍｍ×５ｍｍであり、他方の面が５ｍｍ×４ｍｍである成型体を、黒色フィラメントを用いて３Ｄプリンターで作製し、テーパー型仕切り部材としたこと以外は、上述の実施例１と同様にして歩行性害虫捕獲装置を作製した。その後、上述の実施例１と同様にして、細く評価を行った。以上の結果を表１に示す。【００９２】
なお、作製した歩行性害虫捕獲装置において、歩行シートの長さＬは１００ｍｍ、離間距離Ｈ１は５ｍｍ、離間距離Ｈ２は４ｍｍ、ｔａｎθは０．０１であった。その後、上述の実施例１と同様にして、捕獲評価を行った。以上の結果を表１に示す。【００９３】
（実施例７）
実施例１において、楔型の成型体の樹脂中に、ヘキセナールとオクテナールを５０／５０の重量比で混合した誘引剤を４０μｇ配合したこと以外は、上述の実施例１と同様にして歩行性害虫捕獲装置を作製した。その後、上述の実施例１と同様にして、捕獲評価を行った。以上の結果を表１に示す。【００９４】
（実施例８）
実施例１において、歩行性害虫として、アルゼンチンアリを用いたこと以外は、実施例１と同様にして、捕獲評価を行った。以上の結果を表１に示す。【００９５】
（実施例９）
実施例１において、歩行性害虫として、ナミハダニを用いたこと以外は、実施例１と同様にして、捕獲評価を行った。以上の結果を表１に示す。【００９６】
（実施例１０）
実施例１において、歩行性害虫として、体長８ｍｍ以下のチャバネゴキブリの幼虫を用いたこと以外は、実施例１と同様にして、捕獲評価を行った。以上の結果を表１に示す。【００９７】
（比較例１）
上部シートに粘着シートを取り付けず、歩行用シートの取り付け用粘着シートと反対側の面（歩行性害虫歩行面）に、両面粘着シート（テクノフローワン（株）製、商品名：ＴＣ５５１０）を５ｃｍ×５ｃｍにカットしたものを取り付けて、粘着シートとしたこと以外は、上述の実施例１と同様にして歩行性害虫捕獲装置を作製した。その後、上述の実施例１と同様にして、捕獲評価を行った。以上の結果を表１に示す。【００９８】
（比較例２）
市販の黒ボール紙（厚み０．７８ｍｍ）を５ｃｍ×５ｃｍにカットして、歩行用シートとした。この歩行用シート４に、両面粘着シート（市販品）を５ｃｍ×５ｃｍにカットしたものを取り付け、取り付け用粘着シートとした。【００９９】
また、透明フィルム（東レ（株）製、商品名：ルミラーＴ６０、厚み７５μｍ）を５ｃｍ×５ｃｍにカットして上部シートとした。この上部シートに、両面粘着シート（テクノフローワン（株）製、商品名：ＴＣ５５１０）を５ｃｍ×５ｃｍにカットしたものを取り付けて、粘着シートとした。【０１００】
また、長さが５０ｍｍの四角柱形状を有し、一方の面が５ｍｍ×５ｍｍであり、他方の面が５ｍｍ×５ｍｍである柱状の成型体を、黒色フィラメントを用いて３Ｄプリンターで作製し、テーパー形状を有しない平行型仕切り部材とした。【０１０１】
次に、歩行用シートの取り付け用粘着シートと反対側に、端から等間隔に平行型仕切り部材を３個、粘着テープで取り付け、さらにその上に、上部シートの粘着シート側を平行型仕切り部材１２に取り付けた。【０１０２】
さらに、上部シートの外表面上に、光遮蔽部材である市販のボール紙（厚み０．４ｍｍ、５ｃｍ×５ｃｍにカットしたもの）を取り付けることにより、テーパー形状を有しない平行型の歩行性害虫捕獲装置を作製した。その後、上述の実施例１と同様にして、捕獲評価を行った。以上の結果を表１に示す。【０１０３】
【表１】
2020009032.tif 000003
【０１０４】
表１に示すように、実施例１の歩行性害虫捕獲装置においては、多数のトコジラミが捕獲されており、効率よくトコジラミを捕獲できた。実施例２では、誘引剤が配合されているため、実施例１に比し、多数のトコジラミを捕獲できていることが分かる。実施例３では、歩行性害虫捕獲装置の空間部において、入口から空間部の奥側（即ち、接続部側）へ行くにしたがって暗くなってゆくため、実施例１に比し、より多くのトコジラミを、より暗がりとなる空間部１０の奥側へ誘導することができ、より効率よくトコジラミを捕獲できた。実施例４では、光遮蔽されていないため、光遮蔽されている実施例１〜３と比較してトコジラミ捕獲数は少なかったが、捕獲は可能であった。実施例５では、粘着シートの一端部と歩行用シートの一端部の離間距離があるものの、効率よくトコジラミを捕獲できた。実施例６では、粘着シートの一端部と歩行用シートの一端部の離間距離が大きいため、サイズの小さいトコジラミが逃走し、離間距離のない実施例１〜３、および離間距離が小さい実施例５と比較してトコジラミ捕獲数は少なかったが、捕獲は可能であった。【０１０５】
さらに、実施例７では、誘引剤（ヘキセナールとオクテナール）の効果により、８５％の高い捕獲率を達成した。【０１０６】
また、歩行性害虫として、実施例８ではアルゼンチンアリ、実施例９ではナミハダニ、実施例１０では体長８ｍｍ以下のチャバネゴキブリにつき、捕獲評価を行ったところ、これらの歩行性害虫についても捕獲は可能であり、本発明の歩行性害虫捕獲装置の汎用性を確認することができた。【０１０７】
一方、比較例１では、上部シートに粘着シートがなく、歩行シート上の粘着シートでは、トコジラミの足と粘着面との接触面積が小さく、また粘着面部にはトコジラミが侵入しにくいため、トコジラミの捕獲はできなかった。比較例２では、粘着シートと歩行用シートとの離間距離が侵入口から奥側に向けて一定であり、トコジラミは内部に入るものの、トコジラミの背面部の上にある粘着面には届かないため、トコジラミの捕獲はできなかった。
【産業上の利用可能性】
【０１０８】
以上説明したように、本発明は、粘着面により歩行性害虫を捕獲する歩行性害虫捕獲装置として、特に有用である。
【符号の説明】
【０１０９】
１      歩行性害虫捕獲装置
２      上部シート
２ａ    上部シートの外表面
３      粘着シート
３ａ    粘着シートの一端部
３ｂ    粘着シートの他端部
４      歩行用シート
４ａ    歩行用シートの一端部
４ｂ    歩行用シートの他端部
５      接続部
６      取り付け用粘着シート（他の粘着シート）
７      光遮蔽部材
１０    空間部
１１    侵入口
１２    テーパー型仕切り部材
２０    歩行性害虫捕獲装置
３０    歩行性害虫捕獲装置
Ｂ      歩行性害虫
Ｂ１    歩行性害虫の背面
Ｈ１    粘着シートの他端部と歩行用シートの他端部との離間距離
Ｈ２    粘着シートの一端部と歩行用シートの一端部との離間距離
Ｌ      歩行用シートの長さ
【図１】
2020009032.tif 000004
【図２】
2020009032.tif 000005
【図３】
2020009032.tif 000006
【図４】
2020009032.tif 000007
【図５】
2020009032.tif 000008
【国際調査報告】
2020009032.tif 000009
2020009032.tif 000010
2020009032.tif 000011
2020009032.tif 000012